(57)【要約】【課題】試料または試薬が、反応容器に分注されたか否かを確実に判定できること。【解決手段】規定量に余分量を加えた量の検体をプローブ２６ｂによって一度に吸引し、反応容器２３Ａに規定量の検体を吐き出して分注処理を行なった後に、反応容器２３Ａとは別の反応容器２３Ｂに余分量の検体を吐き出す制御を行う余分量分注制御部４１ａと、余分量の検体が収容された反応容器２３Ｂに測定光を照射して吸光度を測定する測光部３１と、測光部３１によって測定された吸光度が所定値未満であった場合に、規定量の検体が反応容器２３Ａに分注されなかったと判定する分注判定処理部４１ｂとを備える。【選択図】        図１
2009168738.tif 000002
【特許請求の範囲】
【請求項１】
試料または試薬をプローブによって吸引し、反応容器に吐き出して、前記試料および前記試薬の混合液を前記反応容器に収容し、該混合液の吸光度を測定することによって、前記試料を分析する自動分析装置において、
前記反応容器に収容される規定量に余分量を加えた量の前記試料または前記試薬を前記プローブによって一度に吸引し、前記反応容器に前記規定量の前記試料または前記試薬を吐き出して分注処理を行なった後に、前記反応容器とは別の反応容器に前記余分量の前記試料または前記試薬を吐き出す制御を行う分注制御手段と、
前記余分量が収容された前記別の反応容器に測定光を照射して吸光度を測定する測定手段と、
前記測定手段によって測定された吸光度が所定値未満であった場合に、前記試料または前記試薬の前記規定量が前記反応容器に分注されなかったと判定する判定手段と、
を備えたことを特徴とする自動分析装置。
【請求項２】
前記測定手段は、前記混合液の吸光度を測定する測光部であることを特徴とする請求項１に記載の自動分析装置。
【請求項３】
前記測定手段は、前記別の反応容器に吐き出す前記試料または前記試薬の吸収波長を含む測定光を照射することを特徴とする請求項１または２に記載の自動分析装置。
【請求項４】
試料または試薬をプローブによって吸引し、反応容器に吐き出して、前記試料および前記試薬の混合液を前記反応容器に収容し、該混合液の吸光度を測定することによって、前記試料を分析する自動分析装置の分注判定方法において、
前記反応容器に収容される規定量に余分量を加えた量の前記試料または前記試薬を前記プローブによって一度に吸引する吸引ステップと、
前記反応容器に前記規定量の前記試料または前記試薬を吐き出す吐出ステップと、
前記反応容器とは別の反応容器に前記余分量の前記試料または前記試薬を吐き出す余分量吐出ステップと、
前記余分量が収容された前記別の反応容器に測定光を照射して吸光度を測定する測定ステップと、
前記測定ステップによって測定された吸光度が所定値未満であった場合に、前記試料または前記試薬の前記規定量が前記反応容器に分注されなかったと判定する判定ステップと、
を含むことを特徴とする分注判定方法。
【請求項５】
前記測定ステップは、前記混合液の吸光度を測定する測光部を用いて吸光度を測定することを特徴とする請求項４に記載の分注判定方法。
【請求項６】
前記測定ステップは、前記別の反応容器に吐き出す前記試料または前記試薬の吸収波長を含む測定光を照射することを特徴とする請求項４または５に記載の分注判定方法。
【発明の詳細な説明】
【技術分野】
【０００１】
本発明は、試料または試薬をプローブによって吸引し、反応容器に吐き出すことによって、反応容器内の試料と試薬の混合液の吸光度を測定して試料を分析する自動分析装置および分注判定方法に関するものである。
【背景技術】
【０００２】
従来から、容器に収容された試料または試薬をプローブによって反応容器に分注し、反応容器内の試料と試薬の混合液の吸光度を測定して試料を分析する自動分析装置が知られている。このような自動分析装置は、試薬または試料を確実に分注するために、プローブに液面検知センサを備えるものが一般的である。
【０００３】
例えば、特許文献１には、プローブの先端を除く外周および金属管の内外周を絶縁コーティングする同軸二重構造の液面検知センサ一体型プローブを備える自動分析装置が記載されている。この液面検知センサ一体型プローブは、プローブと金属管との間の絶縁抵抗を保ち、金属管による安定したシールド効果を得ることによって、プローブの全周に水滴、汚れ等が付着しても、確実に液面を検知するようにしている。
【０００４】
【特許文献１】特開平７−４３３６９号公報
【発明の開示】
【発明が解決しようとする課題】
【０００５】
しかしながら、プローブに備えられた液面検知センサが液面を検知する際、液面の泡等が原因となって液面検知センサが液面を誤検知することによって、プローブが、泡等を吸引するため、結果的に試料または試薬を吸引できないことがある。このような場合であっても、プローブが、反応容器への空の吐出動作を行うため、実際には試料または試薬が分注されない場合があった。このような場合、試料または試薬が分注されているものとして分析処理を行うため、誤った分析結果を出力してしまうという問題点があった。
【０００６】
本発明は、上記に鑑みてなされたものであって、試料または試薬が、反応容器に分注されたか否かを確実に判定できる自動分析装置および分注判定方法を提供することを目的とする。
【課題を解決するための手段】
【０００７】
上述した課題を解決し、目的を達成するために、本発明にかかる自動分析装置は、試料または試薬をプローブによって吸引し、反応容器に吐き出して、前記試料および前記試薬の混合液を前記反応容器に収容し、該混合液の吸光度を測定することによって、前記試料を分析する自動分析装置において、前記反応容器に収容される規定量に余分量を加えた量の前記試料または前記試薬を前記プローブによって一度に吸引し、前記反応容器に前記規定量の前記試料または前記試薬を吐き出して分注処理を行なった後に、前記反応容器とは別の反応容器に前記余分量の前記試料または前記試薬を吐き出す制御を行う分注制御手段と、前記余分量が収容された前記別の反応容器に測定光を照射して吸光度を測定する測定手段と、前記測定手段によって測定された吸光度が所定値未満であった場合に、前記試料または前記試薬の前記規定量が前記反応容器に分注されなかったと判定する判定手段と、を備えたことを特徴とする。
【０００８】
また、本発明にかかる自動分析装置は、上記発明において、前記測定手段は、前記混合液の吸光度を測定する測光部であることを特徴とする。
【０００９】
また、本発明にかかる自動分析装置は、上記発明において、前記測定手段は、前記別の反応容器に吐き出す前記試料または前記試薬の吸収波長を含む測定光を照射することを特徴とする。
【００１０】
また、本発明にかかる分注判定方法は、試料または試薬をプローブによって吸引し、反応容器に吐き出して、前記試料および前記試薬の混合液を前記反応容器に収容し、該混合液の吸光度を測定することによって、前記試料を分析する自動分析装置の分注判定方法において、前記反応容器に収容される規定量に余分量を加えた量の前記試料または前記試薬を前記プローブによって一度に吸引する吸引ステップと、前記反応容器に前記規定量の前記試料または前記試薬を吐き出す吐出ステップと、前記反応容器とは別の反応容器に前記余分量の前記試料または前記試薬を吐き出す余分量吐出ステップと、前記余分量が収容された前記別の反応容器に測定光を照射して吸光度を測定する測定ステップと、前記測定ステップによって測定された吸光度が所定値未満であった場合に、前記試料または前記試薬の前記規定量が前記反応容器に分注されなかったと判定する判定ステップと、を含むことを特徴とする。
【００１１】
また、本発明にかかる分注判定方法は、上記発明において、前記測定ステップは、前記混合液の吸光度を測定する測光部を用いて吸光度を測定することを特徴とする。
【００１２】
また、本発明にかかる分注判定方法は、上記発明において、前記測定ステップは、前記別の反応容器に吐き出す前記試料または前記試薬の吸収波長を含む測定光を照射することを特徴とする。
【発明の効果】
【００１３】
本発明にかかる自動分析装置では、分注制御手段が、反応容器に収容される規定量に余分量を加えた量の試料または試薬をプローブによって一度に吸引し、前記反応容器に前記規定量の前記試料または前記試薬を吐き出して分注処理を行なった後に、前記反応容器とは別の反応容器に前記余分量の前記試料または前記試薬を吐き出す制御を行い、測定手段が、前記余分量が収容された前記別の反応容器に測定光を照射して吸光度を測定し、判定手段が、前記測定手段によって測定された吸光度が所定値未満であった場合に、前記試料または前記試薬の前記規定量が前記反応容器に分注されなかったと判定している。すなわち、前記測定手段によって測定された吸光度が所定値以上であった場合、前記余分量の前記試料または前記試薬が前記別の反応容器に吐き出されているため、前記余分量が吐き出される以前に、前記規定量の前記試料または前記試薬が前記反応容器に分注されたことになる。従って、前記試料または前記試薬が、前記反応容器に分注されたか否かを確実に判定できる。
【発明を実施するための最良の形態】
【００１４】
以下、図面を参照して、本発明にかかる自動分析装置の好適な実施の形態を詳細に説明する。なお、この実施の形態によって本発明が限定されるものではない。
【００１５】
図１は、本発明の実施の形態にかかる自動分析装置の構成を示す模式図である。図１に示すように、この実施の形態にかかる自動分析装置１０は、測定部２０と、制御装置４０とを有する。測定部２０は、検体供給部２１から供給された検体容器２１ｂ内の検体および第１試薬庫２４から供給された第１試薬容器２４ａ内の試薬、必要に応じて、さらに第２試薬庫２５から供給された第２試薬容器２５ａ内の試薬を反応容器２３内に分注し、反応容器２３で生じる反応を光学的に測定する。制御装置４０は、測定部２０を含む自動分析装置１０全体の制御を行うとともに測定部２０における測定結果の分析を行う。自動分析装置１０は、これら各部が連携することによって複数の試料としての検体の生化学分析を順次自動的に行う。
【００１６】
まず、測定部２０について説明する。測定部２０は、検体供給部２１と、反応槽２２と、第１試薬庫２４と、第２試薬庫２５と、検体分注機構２６と、第１試薬分注機構２７と、第２試薬分注機構２８と、第１攪拌部２９と、第２攪拌部３０と、測光部３１と、洗浄部３２とを有する。
【００１７】
検体供給部２１は、血液等の液体の検体を収容した複数の検体容器２１ｂを保持し、図中の矢印方向に順次移送される複数の検体ラック２１ａを備える。検体供給部２１上の所定位置に移送された検体容器２１ｂ内の検体は、検体分注機構２６によって、反応容器２３に分注される。反応容器２３は、測光部３１の光源から出射された測定光を透過する素材、合成樹脂等が用いられる。
【００１８】
反応槽２２は、反応容器２３への検体や試薬の分注、反応容器２３内での検体、試薬の攪拌、洗浄または測光を行うために、反応容器２３を所定の位置まで移送する。この反応槽２２は、制御装置４０の制御のもと、図示しない駆動機構が駆動することによって、反応槽２２の中心を通る鉛直線を回転軸として回動自在である。反応槽２２の上方と下方には、図示しない開閉自在な蓋と恒温槽とがそれぞれ設けられている。
【００１９】
第１試薬庫２４は、反応容器２３内に分注される２種類の試薬のうち、最初に分注される試薬Ｒ１が収容された第１試薬容器２４ａを着脱自在に複数収納できる。第１試薬庫２４は、制御装置４０の制御のもと、図示しない駆動機構が駆動することによって、第１試薬庫２４の中心を通る鉛直線を回転軸として時計回りまたは反時計回りに回動自在であり、所望の第１試薬容器２４ａを第１試薬分注機構２７による試薬吸引位置まで移送する。
【００２０】
第２試薬庫２５は、反応容器２３内に分注される２種類の試薬のうち、試薬Ｒ１の次に分注される試薬Ｒ２が収容された第２試薬容器２５ａを着脱自在に複数収納できる。第２試薬庫２５は、第１試薬庫２４と同様に、制御装置４０の制御のもと、時計回りまたは反時計回りに回動自在であり、所望の第２試薬容器２５ａを第２試薬分注機構２８による試薬吸引位置まで移送する。試薬Ｒ１、試薬Ｒ２は分析項目に応じて選択、使用される。
【００２１】
検体分注機構２６は、検体の吸引および吐出を行うプローブ２６ｂが先端部に取り付けられたアーム２６ａを備える。アーム２６ａは、鉛直方向への昇降および自身の基端部を通過する鉛直線を中心軸とする回転を自在に行う。検体分注機構２６は、図示しない吸排シリンジまたは圧電素子を用いた吸排機構を備える。検体分注機構２６は、上述した検体供給部２１の所定位置に移送された検体容器２１ｂ内からプローブ２６ｂによって規定量の検体を吸引し、アーム２６ａを図中時計回りに旋回させ、反応槽２２上の検体吐き出し位置に搬送された反応容器２３に、規定量の検体を吐き出して分注する検体分注処理を行う。なお、検体分注機構２６は、制御装置４０からの指示によって、上述した規定量の検体を反応容器２３に分注する検体分注処理から、規定量に余分量を加えた量の検体をプローブ２６ｂによって一度に吸引させ、反応容器２３に規定量の検体を吐き出して分注処理を行なった後に、反応容器２３とは別の反応容器２３に余分量の検体を吐き出す余分量分注処理に切り替える。
【００２２】
第１試薬分注機構２７は、試薬Ｒ１の吸引および吐出を行うプローブ２７ｂが先端部に取り付けられたアーム２７ａを備える。アーム２７ａは、鉛直方向への昇降および自身の基端部を通過する鉛直線を中心軸とする回転を自在に行う。第１試薬分注機構２７は、図示しない吸排シリンジまたは圧電素子を用いた吸排機構を備える。第１試薬分注機構２７は、第１試薬庫２４上の所定位置に移動された第１試薬容器２４ａ内の試薬Ｒ１をプローブ２７ｂによって吸引し、アーム２７ａを図中反時計回りに旋回させ、反応槽２２上の所定位置に搬送された反応容器２３に、規定量の試薬Ｒ１を吐き出して分注する。
【００２３】
第２試薬分注機構２８は、第１試薬分注機構２７と同様に、試薬Ｒ２の吸引および吐出を行うプローブ２８ｂが先端部に取り付けられたアーム２８ａと、図示しない吸排シリンジまたは圧電素子を用いた吸排機構を備え、第２試薬庫２５上の所定位置に移動された第２試薬容器２５ａ内の試薬Ｒ２をプローブ２８ｂによって吸引後、反応槽２２上の所定位置に搬送された反応容器２３に、規定量の試薬Ｒ２を吐き出して分注する。
【００２４】
第１攪拌部２９は、反応容器２３に分注された試薬Ｒ１と検体との混合液の攪拌を行い、反応を促進させる。また、第２攪拌部３０は、反応容器２３に分注された試薬Ｒ１、検体および試薬Ｒ２の混合液の攪拌を行い、反応を促進させる。
【００２５】
測光部３１は、所定の測定位置に搬送された反応容器２３に光源から測定光を照射し、反応容器２３内の検体と試薬との混合液を透過した光を分光し、受光素子による各波長光の強度測定を行うことによって、分析対象である検体と試薬との混合液に特有の波長の吸光度を測定する。
【００２６】
洗浄部３２は、図示しないノズルによって、測光部３１による測定が終了した反応容器２３内の混合液を吸引して排出するとともに、洗剤や洗浄水等の洗浄液を注入および吸引することで洗浄を行う。
【００２７】
次に、制御装置４０について説明する。制御装置４０は、制御部４１と、入力部４２と、分析部４３と、記憶部４４と、出力部４５とを備える。測定部２０および制御装置４０が備えるこれらの各部は、制御部４１に接続される。
【００２８】
制御部４１は、ＣＰＵ等を用いて構成され、自動分析装置１０の各部の処理および動作を制御する。制御部４１は、これらの各構成部位に入出力される情報について所定の入出力制御を行い、かつ、この情報に所定の情報処理を行う。なお、制御部４１は、反応容器２３に収容される規定量に余分量を加えた量の検体をプローブ２６ｂによって一度に吸引させ、反応容器２３に規定量の検体を吐き出して分注処理を行なった後に、反応容器２３とは別の反応容器２３に余分量の検体を吐き出させるように検体分注機構２６を制御する分注制御手段としての余分量分注制御部４１ａと、余分量が収容された別の反応容器に測定光を照射して測定された吸光度が所定値未満であった場合に、規定量の検体が反応容器２３に分注されなかったと判定する判定手段としての分注判定処理部４１ｂとを有する。
【００２９】
入力部４２は、キーボード、マウス、入出力機能を兼ねたタッチパネル式表示画面等を用いて構成され、検体の分析に必要な諸情報や分析動作の指示情報等を取得する。入力部４２は、図示しない通信ネットワークを介し、外部装置から検体の分析に必要な諸情報や分析動作の指示情報等を取得してもよい。
【００３０】
分析部４３は、測光部３１によって測定された測定結果をもとに、吸光度等を演算し検体内における検出対象物の濃度を求め、検体の成分分析等を行う。
【００３１】
記憶部４４は、情報を磁気的に記憶するハードディスクと、自動分析装置１０が処理を実行する際にその処理にかかわる各種プログラムをハードディスクから読み出して電気的に記憶するメモリとを有する。記憶部４４は、分析部４３によって演算された吸光度等の情報を記憶する。記憶部４４は、ＣＤ−ＲＯＭ、ＤＶＤ−ＲＯＭ、ＰＣカード等の記憶媒体に記憶された情報を読み取ることができる補助記憶装置を備えてもよい。
【００３２】
出力部４５は、ディスプレイ、プリンタ、スピーカー等を有し、吸光度、検体の分析結果等を出力する。また、出力部４５は、図示しない通信ネットワークを介し、外部装置に吸光度、検体の分析結果等を出力してもよい。
【００３３】
この自動分析装置１０では、第１試薬分注機構２７が、反応槽２２によって移送される複数の反応容器２３に第１試薬容器２４ａから規定量の試薬Ｒ１を順次分注し、検体分注機構２６が、検体容器２１ｂから反応容器２３に規定量の検体を分注する。続いて、第１攪拌部２９が、反応容器２３内の試薬Ｒ１と検体とを撹拌して反応させた後、測光部３１が、試薬Ｒ１と検体との混合液の吸光度測定を行う。また、必要に応じて第２試薬分注機構２８が、第２試薬容器２５ａから反応容器２３に規定量の試薬Ｒ２を分注する。続いて、第２攪拌部３０が、反応容器２３内の試薬Ｒ１、検体および試薬Ｒ２の混合液を撹拌して反応させた後、測光部３１が、反応容器２３へ測定光を照射して吸光度測定を行う。そして、分析部４３が、測定結果を分析し、検体の成分分析等を自動的に行う。また、洗浄部３２が、測光部３１による測定が終了した反応容器２３の洗浄・乾燥を行い、一連の分析動作が連続して繰り返し行われる。
【００３４】
ここで、制御部４１は、入力部４２から任意に指示された分注処理切替信号が入力された場合、あるいは制御部４１内で予め設けられた余分量分注処理を定期的に行わせる制御プログラムから分注処理切替信号を受け付けた場合、余分量分注制御部４１ａは、規定量に余分量を加えた量の検体をプローブ２６ｂによって一度に吸引させ、反応容器２３に規
定量の検体を吐き出させて分注処理を行った後に、別の反応容器２３に余分量の検体を吐き出させる余分量分注処理を検体分注機構２６に行わせる。また、制御部４１は、測光部３１によって、規定量の試薬と規定量の検体の混合液が収容された反応容器２３に測定光を照射して吸光度Ｖ１を測定するとともに、余分量の検体が収容された反応容器２３に測定光を照射して吸光度Ｖ２を測定する。さらに、分注判定処理部４１ｂは、測定された吸光度Ｖ２が基準吸光度Ｔ未満であった場合に、規定量の検体が反応容器２３に分注されなかったとして出力部４５のディスプレイに分注処理の異常を表示させる分注判定処理を行う。なお、吸光度Ｖ２を測定するために照射される測定光は、検体の吸収波長を含む。また、基準吸光度Ｔは、検体の吸収波長の吸光度であり、反応容器２３内に検体があるか否かを判断する基準となる吸光度である。各分析項目に対応した基準吸光度Ｔが、予め記憶部４４に記憶してある。
【００３５】
次に、図２を参照し、余分量分注制御部４１ａによる余分量分注処理の処理手順について説明する。図２は、余分量分注制御部４１ａによる余分量分注処理手順を説明する説明図である。
【００３６】
図２に示すように、まず余分量分注制御部４１ａは、検体供給部２１上の所定位置に移送された検体容器２１ｂからプローブ２６ｂによって、規定量Ｓｒに余分量Ｓｅを加えた量Ｓａの検体Ｓを一度に吸引させた後（図２（ａ）参照）、図１に示すように、アーム２６ａを図中時計回りに旋回させ、位置Ｐ１で、第１試薬分注機構２７によって既に試薬Ｒ１が収容された反応容器２３Ａ（図２（ｂ）参照）に規定量Ｓｒの検体Ｓを吐き出させて分注処理を行なった後に（図２（ｃ）参照）、さらにアーム２６ａを図中時計回りに旋回させ、位置Ｐ２で、余分量Ｓｅの検体Ｓを反応容器２３Ｂに吐き出させる（図２（ｄ）参照）制御を行う。このように、余分量Ｓｅの検体Ｓが反応容器２３Ｂ内に吐き出されていれば、余分量Ｓｅの検体Ｓが吐き出される以前に、規定量Ｓｒの検体Ｓが反応容器２３Ａに分注されたことになる。
【００３７】
次に、図３を参照し、制御部４１による分注判定処理の処理手順について説明する。図３は、制御部４１による分注判定処理手順を示すフローチャートである。
【００３８】
図３に示すように、まず制御部４１は、予め記憶部４４に設定された複数の分析項目から１つの分析項目を受付ける（ステップＳ１０１）。次に、制御部４１は、受付けた分析項目に対応した基準吸光度Ｔを読み出す（ステップＳ１０２）。次に、制御部４１は、余分量分注処理への分注処理切替信号を受信したか否かを判断する（ステップＳ１０３）。分注処理切替信号を受信していない場合（ステップＳ１０３：Ｎｏ）、制御部４１は、処理をステップＳ１０７へ移行し、受付けた１つの分析項目の分析が終了したか否かを判断する（ステップＳ１０７）。
【００３９】
一方、分注処理切替信号を受信した場合（ステップＳ１０３：Ｙｅｓ）、制御部４１は、測光部３１によって測定された吸光度Ｖ２を取得する（ステップＳ１０４）。次に、制御部４１は、吸光度Ｖ２が基準吸光度Ｔ未満か否かを判断する（ステップＳ１０５）。吸光度Ｖ２が基準吸光度Ｔ未満の場合（ステップＳ１０３：Ｙｅｓ）、余分量Ｓｅの検体Ｓが、反応容器２３Ｂに吐き出されなかったことになる。すなわち、規定量Ｓｒの検体Ｓが反応容器２３Ａに分注されなかったとして、制御部４１は、出力部４５のディスプレイに分注処理の異常を知らせる表示をさせる（ステップＳ１０６）。この異常を知らせる表示としては、例えば、出力部４５のディスプレイに表示される吸光度Ｖ１のうち、規定量Ｓｒの検体Ｓが反応容器２３Ａに分注されなかったとされる吸光度Ｖ１に異常を示す印を付す。
【００４０】
一方、吸光度Ｖ２が、基準吸光度Ｔ以上の場合（ステップＳ１０５：Ｎｏ）、余分量Ｓｅの検体Ｓが、反応容器２３Ｂに吐き出されたことになる。すなわち、規定量Ｓｒの検体Ｓが反応容器２３Ａに分注されたとして、制御部４１は、処理をステップＳ１０７へ移行し、受付けた１つの分析項目の分析が終了したか否かを判断する（ステップＳ１０７）。受付けた１つの分析項目の分析が終了していない場合（ステップＳ１０７：Ｎｏ）、制御部４１は、処理をステップＳ１０３へ移行する。一方、受付けた１つの分析項目の分析が終了した場合（ステップＳ１０７：Ｙｅｓ）、制御部４１は、次の分析項目があるか否かを判断する（ステップＳ１０８）。次の分析項目がある場合（ステップＳ１０８：Ｎｏ）、制御部４１は、処理をステップＳ１０１へ戻し、上述した処理を繰り返す。一方、次の分析項目がない場合（ステップＳ１０８：Ｙｅｓ）、制御部４１は、本処理を終了する。
【００４１】
この実施の形態では、余分量分注制御部４１ａが、規定量Ｓｒに余分量Ｓｅを加えた量Ｓａの検体Ｓをプローブ２６ｂによって一度に吸引し、反応容器２３Ａに規定量Ｓｒの検体Ｓを吐き出した後に、反応容器２３Ｂに余分量Ｓｅの検体Ｓを吐き出すように検体分注機構２６の制御を行い、測光部３１が、余分量Ｓｅの検体Ｓが収容された反応容器２３Ｂに測定光を照射して吸光度を測定し、分注判定処理部４１ｂが、測光部３１によって測定された吸光度が基準吸光度Ｔ未満であった場合に、余分量Ｓｅの検体Ｓが反応容器２３Ｂ内に吐き出されず、この余分量Ｓｅの検体Ｓが吐き出される以前に、規定量Ｓｒの検体Ｓが反応容器２３Ａへの分注がされなかったとして、出力部４５のディスプレイに分注処理の異常を表示させる。すなわち、出力部４５のディスプレイに分注処理の異常が表示されなければ、余分量Ｓｅの検体Ｓが反応容器２３Ｂ内に吐き出され、この余分量Ｓｅの検体Ｓが吐き出される以前に、規定量Ｓｒの検体Ｓが反応容器２３Ａに分注されたことになる。従って、規定量Ｓｒの検体Ｓが、反応容器２３Ａに分注されたか否かを確実に判定することができる。
【００４２】
なお、この実施の形態では、検体Ｓについて余分量分注処理および分注判定処理を行うものを例示したが、これに限らず、試薬Ｒ１、試薬Ｒ２についても余分量分注処理および分注判定処理を同様に行ってよい。試薬Ｒ１、検体Ｓおよび試薬Ｒ２の全てについて余分量分注処理および分注判定処理を行った場合、試薬Ｒ１、検体Ｓ、試薬Ｒ２のそれぞれの分注毎に分注されたか否かを確実に判定できるため、試薬Ｒ１、検体Ｓおよび試薬Ｒ２のそれぞれが正しい比率で混合されたか否かを判定することができる。
【００４３】
また、ラテックス試薬を用いた分析の場合、検体が陰性の場合の吸光度の測定値と、検体が分注されなかった場合の吸光度の測定値とがゼロに近い値となるため、検体が陰性である結果としての吸光度の測定値なのか、あるいは、検体が分注されなかった結果としての吸光度の測定値なのかを判定することが難しい。このようなラテックス試薬を用いた分析であっても、検体Ｓついて余分量分注処理および分注判定処理を行った場合、検体Ｓが分注されたか否かを確実に判定することができる。
【００４４】
また、試薬Ｒ１、検体Ｓおよび試薬Ｒ２の全てについて余分量分注処理および分注判定処理を行った場合、試薬Ｒ１、検体Ｓ、試薬Ｒ２のそれぞれの分注毎に分注されたか否かを確実に判定できるため、第１試薬分注機構２７、検体分注機構２６、第２試薬分注機構２８のどれに分注異常があったかを判別することができる。
【００４５】
また、上述した実施の形態では、検体と試薬の混合液の吸光度を測定する測光部３１を用いて吸光度Ｖ２を測定して、規定量Ｓｒの検体Ｓが反応容器２３Ａに分注されたか否かを判定しているため、吸光度Ｖ２を測定するために測光部３１と別体の装置を設ける必要がなく、簡易な装置構成とすることができる。
【００４６】
一方、上述した実施の形態では、測定手段として測光部３１を用いて吸光度Ｖ２を測定するものを例示したが、これに限らず、測光部３１と別体の装置を用いて吸光度Ｖ２を測定するようにしてもよい。例えば、検体分注機構２６による反応容器２３Ｂへの余分量Ｓｅの検体Ｓの吐き出し後、余分量Ｓｅの検体Ｓが収容された反応容器２３Ｂを測光部３１と別体の装置へ移送して吸光度Ｖ２を測定するようにしてもよい。
【００４７】
また、上述した実施の形態では、余分量分注処理への分注処理切替信号をトリガとして余分量分注処理および分注判定処理を行うものを例示したが、これに限らず、余分量分注処理および分注判定処理を常時行うようにして、規定量Ｓｒの検体Ｓが反応容器２３Ａに分注されたか否かを常時判定するようにしてもよい。
【図面の簡単な説明】
【００４８】
【図１】本発明の実施の形態にかかる自動分析装置の構成を示す模式図である。
【図２】図１に示した余分量分注制御部による余分量分注処理手順を説明する説明図である。
【図３】図１に示した制御部による分注判定処理手順を示すフローチャートである。
【符号の説明】
【００４９】
１０      自動分析装置
２０      測定部
２１      検体供給部
２１ａ    検体ラック
２１ｂ    検体容器
２２      反応槽
２３，２３Ａ，２３Ｂ  反応容器
２４      第１試薬庫
２４ａ    第１試薬容器
２５      第２試薬庫
２５ａ    第２試薬容器
２６      検体分注機構
２６ａ，２７ａ，２８ａ  アーム
２６ｂ，２７ｂ，２８ｂ  プローブ
２７      第１試薬分注機構
２８      第２試薬分注機構
２９      第１攪拌部
３０      第２攪拌部
３１      測光部
３２      洗浄部
４０      制御装置
４１      制御部
４１ａ    余分量分注制御部
４１ｂ    分注判定処理部
４２      入力部
４３      分析部
４４      記憶部
４５      出力部
Ｔ        基準吸光度
Ｓ        検体
Ｓｒ，Ｓｅ，Ｓａ  量
Ｖ１，Ｖ２  吸光度
Ｒ１，Ｒ２  試薬
Ｐ        軌道
Ｐ１，Ｐ２  位置
【図１】
2009168738.tif 000003
【図２】
2009168738.tif 000004
【図３】
2009168738.tif 000005